(57)【要約】【課題】意匠性に富み、洗濯業者やホテル、公共施設の従業員の負担を少なくする、新規な意匠柄を持つ織物を提供し、広幅化の要求にも対応可能な表裏の区別のない織物の提供すること。【解決手段】経糸又は緯糸の最大浮き本数が２本以上７本以下である綾織又は朱子織組織を基本組織とし、前記基本組織及び前記基本組織の裏組織とが交互配列されて組み合わされてなる一完全組織を有する織物であって、前記一完全組織を構成する基本組織と基本組織の裏組織との部位の総数が８以上１２０以下である格子柄が織物全面に配されており、基本組織を形成する綾織又は朱子織組織の稜線が表組織と裏組織で対称になるように組合せられた表裏の区別がない織物。【選択図】図１
2007031859.tif 000002
【特許請求の範囲】
【請求項１】
経糸又は緯糸の最大浮き本数が２本以上７本以下である綾織又は朱子織組織を基本組織とし、前記基本組織及び前記基本組織の裏組織とが交互配列されて組み合わされてなる一完全組織を有する織物であって、前記一完全組織を構成する基本組織と基本組織の裏組織との部位の総数が８以上１２０以下である格子柄が織物全面に配されており、基本組織を形成する綾織又は朱子織組織の稜線が表組織と裏組織で対称になるように組合せられたことを特徴とする表裏の区別がない織物。
【請求項２】
綿繊維が全構成繊維重量の６０重量％以上を占め、ＪＩＳ  Ｌ−１０５８  Ｄ−１法（ダメージ棒法）によるスナッグが４級以上であり、ＪＩＳ  Ｌ−１０９６  シングルタング法による経方向及び緯方向の引裂強度が３０Ｎ以上であることを特徴とする請求項１に記載の表裏の区別がない織物。
【請求項３】
一完全組織において、基本組織及び基本組織の裏組織の占める面積が同一であり、一完全組織の経方向及び／又は緯方向の長さが５ｃｍ以上１５ｃｍ以下であって、一完全組織の輪郭が略正方形形状となる経糸密度及び緯糸密度を有することを特徴とする請求項１又は２に記載の表裏の区別がない織物。
【請求項４】
生地幅が２００ｃｍ以上３５０ｃｍ以下であり、織物の緯糸方向を縫製品の縦方向として用いることを特徴とする請求項１〜３のいずれかに記載の表裏の区別がない織物。
【発明の詳細な説明】
【技術分野】
【０００１】
本発明はシーツや寝具カバーなど寝装、及びカーテンやテーブルクロスなど生活資材用途等の各種布製品に用いられる織物に関して、特に表裏の意匠柄の区別がなく使用が可能な織物に関する。
【背景技術】
【０００２】
ホテルや公共施設等のシーツや布団カバー、ピロケース、ベッドカバーなど寝装寝具類及びテーブルクロスやシートカバー類に供する織物として従来より綿及び綿混織物が好適に使用されている。これらのアイテムは使用された後に洗濯業者が回収して洗濯処理、アイロン掛けを施した後、再び使用に供されるという循環サイクルをたどる。
【０００３】
従来は平織、若しくはそれに刺繍等を施したもの又はジャガード開口装置等を用いて複雑な変化意匠柄を施したもの、又は捺染プリントによる意匠柄を施したもの等が主体であった。しかしながら平織で製織したものは意匠性に乏しく、刺繍を施したものやジャガード開口装置等を用いて複雑な変化意匠柄を施したもの、捺染プリントを施したもの等は表裏の区別があり、洗濯処理後のアイロン掛けの際、表裏のチェックを行なう必要があり、洗濯業者の負担が大きいものであった。またホテルや公共施設等の従業員もベッドメーキングやテーブルメーキングの際に表裏を確認しながら作業をする必要があり大変手間が掛かるものであった。
【０００４】
従来から表裏の区別のない織物の代表として昼夜市松組織などの意匠柄が知られているが、該昼夜市松組織は単純な繰返柄であり決して意匠性に富むものとは言えないし、オリジナリティーに乏しいものであった。リバーシブル織物も知られているが、上記のような用途に適用できるものではない（例えば、特許文献１参照。）。また昨今、寝具カバーやシーツ等の生地広幅化の要求が強くなってきているが織機の機械幅には制約があり、やむを得ず途中より縫製連結して生地製品としているものが数多い。ところが、柄ジョイントがずれていたりするなど審美性や品位、取扱性等の面で決して好ましいものにはなっていない。
【特許文献１】特開平６−５７５２３号公報
【発明の開示】
【発明が解決しようとする課題】
【０００５】
本発明は係る従来の問題を解決し、意匠性に富み、洗濯業者やホテル、公共施設の従業員の負担を少なくする、新規な意匠柄を持つ織物を提供することを課題とするものであり、更には広幅化の要求にも対応可能な表裏の区別のない織物の提供を課題とする。
【課題を解決するための手段】
【０００６】
即ち、本発明は以下の構成よりなる。
１．  経糸又は緯糸の最大浮き本数が２本以上７本以下である綾織又は朱子織組織を基本組織とし、前記基本組織及び前記基本組織の裏組織とが交互配列されて組み合わされてなる一完全組織を有する織物であって、前記一完全組織を構成する基本組織と基本組織の裏組織との部位の総数が８以上１２０以下である格子柄が織物全面に配されており、基本組織を形成する綾織又は朱子織組織の稜線が表組織と裏組織で対称になるように組合せられたことを特徴とする表裏の区別がない織物。
２．  綿繊維が全構成繊維重量の６０重量％以上を占め、ＪＩＳ  Ｌ−１０５８  Ｄ−１法（ダメージ棒法）によるスナッグが４級以上であり、ＪＩＳ  Ｌ−１０９６  シングルタング法による経方向及び緯方向の引裂強度が３０Ｎ以上であることを特徴とする第１に記載の表裏の区別がない織物。
３．  一完全組織において、基本組織及び基本組織の裏組織の占める面積が同一であり、一完全組織の経方向及び／又は緯方向の長さが５ｃｍ以上１５ｃｍ以下であって、一完全組織の輪郭が略正方形形状となる経糸密度及び緯糸密度を有することを特徴とする上記第１又は第２に記載の表裏の区別がない織物。
４．  生地幅が２００ｃｍ以上３５０ｃｍ以下であり、織物の緯糸方向を縫製品の縦方向として用いることを特徴とする上記第１〜第３のいずれかに記載の表裏の区別がない織物。
【０００７】
尚、ここでいう縫製品とはベッドカバーやベッドシーツ、テーブルクロス等を指し、例えばベッドカバーやベッドシーツ等寝装品の縦方向とは就寝時、人体に沿う方向を指すものであり、長方形のテーブルクロスでは短い辺の方向を指すものである。即ち、ベッドの幅がキングサイズ等の大きなものであっても、ベッドの幅方向に織物の経方向として生地を裁断すれば、途中で生地をつなぎ合わせて縫製しなくともよいこととなる。また、長方形のテーブルクロスの場合、長い辺の方向に生地の経方向を合わせて裁断すれば、サイズに関係なく、途中で継ぎ目のないテーブルクロスが得られることとなる。
【発明の効果】
【０００８】
本発明によれば、織物の表組織と裏組織とを、複雑ではあるが規則的に交互配列させ、従来の市松模様とは異なる意匠性に富んだ織物とする。また一完全組織を略正方形形状とすることにより、織物を経方向、緯方向のいずれの使用にも対応させることを可能とする。
【０００９】
また、本発明によれば非常に変化に富む意匠柄を有するにも係らず表裏の区別がないので洗濯業者やホテル、公共施設の従業員の負担を少なく留めることが可能となる。また、表裏の区別がない効果により生地の傷みや汚れ付着も比較的少なく留まり、従来の生地対比で商品寿命を延ばすことができる。即ち使用、回収、洗濯の循環サイクルの回数を増加させることができ、コスト面でも好ましい態様である。更には織物の緯糸方向を縫製品の縦方向として用いることによって、例えばホテル向けキングサイズのベッドシーツ用にも中途に縫製ジョイント部を設けることなく縫製対応が可能となるなど、消費者の更なる広幅化要求にも応えることができる。
【発明を実施するための最良の形態】
【００１０】
本発明の織物一完全組織における経糸又は緯糸の最大浮き本数は２本以上７本以下、より好ましくは２本以上５本以下である。最大浮き本数が７本を超過するとスナッギングや糸引けを生じさせ易く、取扱性が極端に悪くなる。また最大浮き本数が２本未満、即ち１本では単なる平織りとなってしまう。織物一完全組織を構成する基本組織は例えば２／１斜文など三枚綾、２／２斜文、３／１斜文、３／１破れ斜文など四枚綾、３／２斜文、４／１斜文、２・１／１・１斜文など五枚綾、５／１斜文、４／２斜文、１・３／１・１斜文など六枚綾、２飛び４／１朱子、３飛び４／１朱子、２飛び３／２朱子、３飛び３／２朱子など五枚朱子、３飛び７／１朱子など八枚朱子のような公知のものが用いられる。勿論、朱子織などは経朱子、緯朱子何れも好ましく用いられるし、斜文織についても然りである。より好ましくは表組織と裏組織の見え方が、より異なってみえるものが好ましく、経糸と緯糸の浮き数に差があるものが更に好ましい。
【００１１】
本発明の織物は基本となる織組織の表裏を交互配列することによって意匠柄を得るものであるが、該織物一完全組織の組織変化部位の総数が８以上１２０以下であることが好ましい。該組織変化部位の総数が８未満では単純な繰返柄にしかならず意匠性に欠け、１２０を超過する範囲では複雑になり過ぎてしまい、反って汚くみえてしまう。
【００１２】
また、本発明の織物一完全組織における表組織、裏組織の占める面積は同一であることが好ましい。何れかの面積が多くを占めていると表裏の区別があるものとなってしまう他、製織の際の経糸張力が部位によって極端に変動しパッカリングなどの不具合を生じさせてしまうため、好ましくない。更に織物一完全組織の経方向及び／又は緯方向の長さが５ｃｍ以上１５ｃｍ以下で該織物一完全組織からなる意匠柄が略正方形形状であることが好ましい。経方向及び／又は緯方向の長さが５ｃｍ未満では極端な小柄となってしまいインパクトに欠けてしまう。また１５ｃｍを超過する大柄では柄がはっきりし過ぎてしまい汎用性に乏しいものとなる。より好適な範囲としては６ｃｍ〜１０ｃｍ程度が好ましく使用される。また、略正方形形状とは、四角形の縦横の長い方の辺が他方の短い方の辺の１．３倍以下であること言い、より好ましくは１．２倍以下であり、更に好ましくは１．１５倍以下である。もちろん１．０倍（正方形）は最も好ましいものと言える。
【００１３】
本発明の表裏の区分のない織物はシーツやピロケース、ベッドカバーなど寝装寝具類及びテーブルクロスやシートカバー類に好適に用いられる。故に触感や通気性、吸湿性等の機能を考慮すると綿繊維を高混率で使用することが好ましく、全構成繊維重量の６０重量％以上、より好ましくは７０重量％以上、更に好ましくは８０重量％以上が綿繊維で構成されているものが好ましい。綿繊維以外の構成繊維については、ポリエステル、ポリアミド、ポリアクリロ二トリル、ポリオレフィン等の合成繊維のほか、リネンやラミー、ウール、シルク等の天然繊維、ポリノジック、レーヨンその他、モダール（Ｒ）やテンセル（Ｒ）の如きセルロース系再生繊維やセルロースアセテート、プロミックスなど半合成繊維等を必要に応じて適宜組合せて使用しても良いし、綿繊維１００重量％であっても勿論構わない。綿繊維の混率が６０重量％未満では吸湿特性に乏しく、寝装寝具用途等を考えた場合あまり好ましくない。
【００１４】
また本発明のスナッグ特性がＪＩＳ  Ｌ−１０５８  Ｄ−１法（ダメージ棒法）による評価で４級以上、より好ましくは４．５級以上であることが好ましい。上記スナッグ特性が４級未満では使用時の表面摩擦等により、織物表面より構成原糸が飛び出して露出して捩れやスナールを形成したり、ヒケを誘発するなど外観品位の低下を引き起こし易くなり好ましい条件とは言い難い。また引裂強度についてはＪＩＳ  Ｌ−１０９６  シングルタング法による評価で経方向及び緯方向の双方向に３０Ｎ以上、より好ましくは３５Ｎ以上が望ましい。該引裂強度が３０Ｎ未満であると使用、洗濯処理を繰り返すことによる耐久性が不十分になる場合があり、あまり好ましくない。尚、本発明において、経方向の引裂強度とは、生地を経方向に引き裂く方向（緯糸を引き裂いて行く方向）の強度を意味し、緯方向の引裂強度とは、生地を緯方向に引き裂く方向（経糸を引き裂いて行く方向）の強度を意味する。
【００１５】
また本発明の表裏の区別のない織物を構成する綾織又は朱子織の稜線が表組織と裏組織で逆になるよう組合ることが望ましい。表組織と裏組織の稜線を同じ方向とするとトルクが相殺されず、生地の取扱性が悪化する他、織物外観品位的にも好ましいものには仕上がらない。
【００１６】
また得られる意匠柄は略正方形形状となるように経糸密度、緯糸密度を調整して製織、加工することが好ましい。更に生地幅は２００ｃｍ以上３５０ｃｍ以下、より好ましくは２２０ｃｍ以上３２０ｃｍ以下である。生地幅方向を例えばベッドの長手方向（人体に沿う方向）として用いることによって超広幅化への対応も可能である。このような使用態様では経緯の寸法がほぼ同一になるような略正方形形状の組合せとすることがより好ましい。また、それ以上の広幅生地を要求される場合においては縫製連結部を可能な限り少なく、審美性を損なわないようにすることができる。縫製連結部を少なくすれば、生地末端処理も少なく留めることができ、生地のホツレや縫製連結部による凸部も少なくなり好ましい。
【００１７】
本発明の織物に供する供給糸の紡績方法、製糸方法については何ら限定されるものでなくリング精紡、ローター精紡、ＭＶＳの如き革新紡績方法、長繊維束と複合させた各種複合紡績法など公知の何れの方法によってもよい。
【００１８】
製織方法及び開口装置についても何ら限定されるものでないが、織機としてはエアージェットルーム、レピアルーム、プロジェクタイルルームが好適である。開口装置はドビー開口装置及びジャガード開口装置が好ましく用いられる。ドビー開口対比でジャガード開口の方がより複雑な意匠柄を付与することが可能である。汎用性に富むドビー開口装置で得られる意匠柄、とりわけ広く汎用的に用いられている１６枚や２４枚ドビー開口装置を搭載した織機で製織可能な意匠柄とすると比較的安価に製織することができる。
【００１９】
本発明の織物は使用する繊維や用途に応じて漂白・晒し加工、シルケット加工、液体アンモニア加工、気相ホルムアルデヒド架橋加工、防汚や撥水など各種樹脂による機能加工、蛍光増白処理など特に制限されるものでなく、公知の染色・整理加工を施すことができる。また上記加工についても吸尽、パッドドライ、パッドスチーム、パッドドライキュア、パッドスチームキュア、スプレーなど公知の処理方法を用いることができる。また更に布団側生地として用いる場合はプラストカレンダー加工、シュライナーカレンダー加工、サンフォライズ仕上げ、リグメル仕上げなど各種処理を施すこともできる。
【実施例】
【００２０】
以下に本発明を実施例により説明する。
【００２１】
（実施例１）
綿コーマ紡績糸８０番単糸（７４デシテックス相当）を経糸に、綿コーマ紡績糸６０番単糸（９８デシテックス相当）を用い、組織は表組織３／１左上がり斜文、裏組織１／３右上がり斜文を基本組織とした（経糸及び緯糸の最大浮き本数は何れも３本）。図１に示す構成に製織し、公知の処方を用いて毛焼、糊抜き、精練漂白、プレセット、染色、仕上セット、シュライナーカレンダー処理を行ない織物を得た。得られた織物生地幅は２２８ｃｍであった。該織物一完全組織の組織変化部位の総数は８であり、一完全組織の長さを経方向１０ｃｍ、緯方向１２ｃｍとなるように経糸及び緯糸の本数を規定した。織物の密度は経緯それぞれ１８５本／インチ、１０７本／インチであった。意匠性に富み、表裏やタテヨコの区別なく使用でき、スナッグ４．５級、引裂強度が経３５Ｎ、緯４２Ｎであり生地物性としても寝装寝具用途として問題のないものに仕上がっていた。得られた生地の緯方向をベッドシーツの縦方向とし、縦２００ｃｍ×横２３０ｃｍのキングサイズベッドシーツ用に裁断、縫製した。縁かがり以外は縫製部分が無く、一枚生地で縫製が可能となり品位や意匠的にも好ましいものとなった。
【００２２】
（実施例２）
ポリエステル／綿混コーマ紡績糸１００番単糸（５９デシテックス相当・混率はポリエステル／綿＝２０／８０（重量比））を経糸に、ポリエステル／綿混コーマ紡績糸８０番単糸（７４デシテックス相当・混率はポリエステル／綿＝２０／８０）を用い、組織は表組織３／１破れ斜文、裏組織１／３破れ斜文（表組織とは稜線が逆方向）を基本組織とした（経糸及び緯糸の最大浮き本数は何れも３本）。図２に示す構成に製織し、公知の処方を用いて毛焼、糊抜き、精練漂白、プレセット、染色、仕上セット、シュライナーカレンダー処理を行ない織物を得た。得られた織物の生地幅は２２８ｃｍであった。図２において織物一完全組織の組織変化部位の総数は１０４であり、一完全組織の長さを経方向１０ｃｍ、緯方向１０ｃｍとなるように経糸及び緯糸の本数を規定した。織物の密度は経緯それぞれ２００本／インチ、１２０本／インチであった。意匠性に富み、表裏やタテヨコの区別なく使用でき、スナッグ４．５級、引裂強度が経３１Ｎ、緯３８Ｎであり生地物性としても寝装寝具用途として問題のないものに仕上がっていた。得られた生地の緯方向を縦方向とし縦２００ｃｍ×横２３０ｃｍのキングサイズベッドシーツ用に裁断、縫製した。縁かがり以外は縫製部分が無く、一枚生地で縫製が可能となり品位や意匠的にも好ましいものとなった。
【００２３】
（実施例３）
綿コーマ紡績糸６０番単糸（９８デシテックス相当）を経糸に、綿コーマ紡績糸６０番単糸（９８デシテックス相当）を用い、組織は表組織２／２左上がり斜文、裏組織は２／２右上がり斜文を基本組織とした（経糸及び緯糸の最大浮き本数は何れも２本）。図３に示す構成に製織し公知の処方を用いて毛焼、糊抜き、精練漂白、プレセット、染色、仕上セット、シュライナーカレンダー処理を行って織物を得た。得られた織物の生地幅は２０５ｃｍであった。図３において織物一完全組織の組織変化部位の総数は４０であり、一完全組織の長さを経方向９ｃｍ、緯方向１０ｃｍとなるように経糸及び緯糸の本数を規定した。織物の密度は経緯それぞれ１７０本／インチ、１０６本／インチであった。意匠性に富み、表裏やタテヨコの区別なく使用でき、スナッグ４．５級、引裂強度が経３５Ｎ、緯４３Ｎであり生地物性としても寝装寝具用途として問題のないものに仕上がっていた。得られた生地の緯方向をベッドシーツの縦方向とし、縦２００ｃｍ×横２００ｃｍのキングサイズベッドシーツ用に裁断、縫製した。縁かがり以外は縫製部分が無く、一枚生地で縫製が可能となり品位や意匠的にも好ましいものとなった。
【００２４】
（実施例４）
綿コーマ紡績糸６０番単糸（９８デシテックス相当）を経糸に、綿コーマ紡績糸６０番単糸（９８デシテックス相当）を用い、組織は表組織２／２左上がり斜文、裏組織２／２右上がり斜文を基本組織とした（経糸及び緯糸の最大浮き本数は何れも２本）。図４に示す構成に製織し、公知の処方を用いて毛焼、糊抜き、精練漂白、プレセット、染色、仕上セット、シュライナーカレンダー処理を行ない織物を得た。得られた織物の生地幅は２０５ｃｍであった。図４において織物一完全組織の組織変化部位の総数は１２であり、一完全組織の長さを経方向１２ｃｍ、緯方向１５ｃｍとなるように経糸及び緯糸の本数を規定した。織物の密度は経緯それぞれ１７２本／インチ、１０８本／インチであった。意匠性に富み、表裏やタテヨコの区別なく使用でき、スナッグ４．５級、引裂強度が経３５Ｎ、緯４３Ｎであり生地物性としても寝装寝具用途として問題のないものに仕上がっていた。得られた生地の緯方向をベッドシーツの縦方向とし、縦２００ｃｍ×横２００ｃｍのキングサイズベッドシーツ用に裁断、縫製した。縁かがり以外は縫製部分が無く、一枚生地で縫製が可能となり品位や意匠的にも好ましいものとなった。
【００２５】
（比較例１）
綿コーマ紡績糸８０番単糸（７４デシテックス相当）を経糸に、綿コーマ紡績糸６０番単糸（９８デシテックス相当）を用い、組織は表組織３／１左上がり斜文、裏組織１／３左上がり斜文を基本組織とした（経糸及び緯糸の最大浮き本数は何れも３本）他は実施例１同様の方法で織物を得た。得られた織物の生地幅は２２７ｃｍ、一完全組織の長さを経方向１０ｃｍ、緯方向１２ｃｍとなるように経糸及び緯糸の本数を規定した。織物の密度は経緯それぞれ１８５本／インチ、１０６本／インチであり、意匠性に富み、表裏やタテヨコの区別なく使用でき、スナッグ４．５級、引裂強度が経３３Ｎ、緯４０Ｎであり生地物性、品位としては問題のないものに仕上がった。ところが、表組織と裏組織の稜線が同一方向であるため、表裏の光沢差、見え方の差が小さく留まりインパクトに欠けるものであった。また実施例１と比較しローリングし易く、取扱し難い傾向であった。得られた生地の緯方向をべッドシーツの縦方向とし、縦２００ｃｍ×横２３０ｃｍのキングサイズベッドシーツ用に裁断、縫製した。縁かがり以外は縫製部分が無く、一枚生地で縫製が可能となったが、実施例１と比較しローリングし易く、取扱し難い傾向で作業性を考慮すると好ましいものにはならなかった。
【００２６】
（比較例２）
綿コーマ紡績糸８０番単糸（７４デシテックス相当）を経糸に、綿コーマ紡績糸６０番単糸（９８デシテックス相当）を用い、組織は表組織３／１左上がり斜文、裏組織１／３右上がり斜文を基本組織とした（経糸及び緯糸の最大浮き本数は何れも３本）。正則昼夜市松組織（図５）に示す組織に製織し、公知の処方を用いて毛焼、糊抜き、精練漂白、プレセット、染色、仕上セット、シュライナーカレンダー処理を行ない織物を得た。得られた織物生地幅は２２８ｃｍであった。該織物一完全組織の組織変化部位の総数は４であり、一完全組織の長さを経方向６ｃｍ、緯方向５．５ｃｍとなるように経糸及び緯糸の本数を規定した。織物の密度は経緯それぞれ１８５本／インチ、１０７本／インチであった。意匠性に富み、表裏やタテヨコの区別なく使用でき、スナッグ４．５級、引裂強度が経３５Ｎ、緯４２Ｎであり生地物性としては問題のないものに仕上がった。得られた生地の緯方向をベッドシーツは縦方向とし、縦２００ｃｍ×横２３０ｃｍのキングサイズベッドシーツ用に裁断、縫製した。縁かがり以外は縫製部分が無く、一枚生地で縫製が可能となったがところが柄の意匠性に乏しい繰返し柄であるために、オリジナリティーに欠けるものであった。
【００２７】
実施例１〜４、比較例１、２で使用した図１〜図５の何れもが１６枚ドビー開口装置を用い、３／１斜文、３／１破れ斜文、２／２斜文等、四枚柄の基本組織とすると製織が可能である。尚、図１〜図５において右斜線と左斜線で区分している部分は互いに表組織、裏組織の関係にあり、稜線もそれぞれ異なっている。
【産業上の利用可能性】
【００２８】
本発明の織物によれば複雑な意匠柄を有するにも係らず表裏の区別がないために洗濯業者やホテル、公共施設の従業員の負担を少なく留めることが可能となる。また表裏の区別がない効果により生地の傷みや汚れ付着も比較的少なく留まり、従来の生地対比で商品寿命を延ばすことができ、コスト面でも有利なものとなる。
【図面の簡単な説明】
【００２９】
【図１】本発明の一完全組織の一態様を示す模式図である。
【図２】本発明の一完全組織の他の一態様を示す模式図である。
【図３】本発明の一完全組織の他の一態様を示す模式図である。
【図４】本発明の一完全組織の他の一態様を示す模式図である。
【図５】比較例で用いた織組織を示す模式図である。
【符号の説明】
【００３０】
１．表組織
２．裏組織
３．表組織
４．裏組織
５．裏組織
６．表組織
７．裏組織
８．表組織
【図１】
2007031859.tif 000003
【図２】
2007031859.tif 000004
【図３】
2007031859.tif 000005
【図４】
2007031859.tif 000006
【図５】
2007031859.tif 000007